(57)【要約】【課題】使用者が首や肩などに圧迫感を感じることなく、また、スムーズに寝返りを打つことができる寝具を提供すること。【解決手段】マットレス２０は、使用者の背中及び下半身が載置される第１載置部３０と、使用者の肩及び腕が載置される第２載置部４０とを備え、第１載置部３０を、第２載置部４０より厚くし、第１載置部３０の前端３１の中央に凸部３２を形成し、凸部３２の前端３２ａを、第１載置部３０の載置面と第２載置部４０の載置面とを接続する第１傾斜部５０ａとし、凸部３２の左右端３２ｂを、第１載置部３０の載置面と第２載置部４０の載置面とを接続する第２傾斜部５０ｂとし、凸部３２の両側に位置する第１載置部３０の前端３１を、第１載置部３０の載置面と第２載置部４０の載置面とを接続する第３傾斜部５０ｃとし、枕１０を、凸部３２から離して配置できる。【選択図】    図１
2016063997.tif 000002
【特許請求の範囲】
【請求項１】
高反発ウレタンフォームからなる枕と、前記高反発ウレタンフォームからなる縦長矩形のマットレスとを備えた寝具であって、
前記マットレスは、
使用者の背中及び下半身が載置される第１載置部と、
前記使用者の肩及び腕が載置される第２載置部と
を備え、
前記第１載置部を、長手方向の後方寄りに設け、
前記第２載置部を、長手方向の前方寄りに設け、
前記第１載置部を、前記第２載置部より厚くし、
前記第１載置部の前端中央に凸部を形成し、
前記凸部の前端を、前記第１載置部の載置面と前記第２載置部の載置面とを接続する第１傾斜部とし、
前記凸部の左右端を、前記第１載置部の前記載置面と前記第２載置部の前記載置面とを接続する第２傾斜部とし、
前記凸部の両側に位置する前記第１載置部の前記前端を、前記第１載置部の前記載置面と前記第２載置部の前記載置面とを接続する第３傾斜部とし、
前記使用者の頭が載置される前記枕を、前記凸部から離して配置できることを特徴とする寝具。
【請求項２】
前記第１傾斜部の傾斜角を、３５°以上５５°以下としたことを特徴とする請求項１に記載の寝具。
【請求項３】
前記第２傾斜部の傾斜角を、２０°以上４０°以下としたことを特徴とする請求項１又は請求項２に記載の寝具。
【請求項４】
前記第３傾斜部の傾斜角を、２０°以上４０°以下としたことを特徴とする請求項１から請求項３のいずれか１項に記載の寝具。
【請求項５】
前記第１傾斜部と、前記第２傾斜部との境目の稜角を面取りしたことを特徴とする請求項１から請求項４のいずれか１項に記載の寝具。
【請求項６】
前記第１載置部を、上層と下層とからなる２層構造とし、
前記下層を前記上層よりも延伸させ、
前記第２載置部を、延伸させた前記下層に形成した
ことを特徴とする請求項１から請求項５のいずれか１項に記載の寝具。
【請求項７】
前記下層の上表面に複数の突起を配列したことを特徴とする請求項６に記載の寝具。
【請求項８】
前記マットレスを、縦方向の長さが等しい、前方領域部、中央領域部、及び後方領域部に分割し、
前記前方領域部と前記中央領域部との分割位置を、前記第２載置部の前記載置面と前記第３傾斜部との境目としたことを特徴とする請求項１から請求項７のいずれか１項に記載の寝具。
【請求項９】
前記第２載置部の前端及び両側端に、前記第１載置部の高さと同じ高さの壁を設け、前記壁の内側端を、前記第２載置部と接続する壁傾斜部としたことを特徴とする請求項１から請求項８のいずれか１項に記載の寝具。
【請求項１０】
前記枕を、それぞれ矩形の高反発ウレタンフォームからなる内層と外層とで形成し、
前記内層及び前記外層は、それぞれ前記高反発ウレタンフォームを二つ折りに折り畳み、前記高反発ウレタンフォームの一端側内面と他端側内面とを接着することで折り返し側に湾曲部を形成し、
前記枕を、前記外層の前記湾曲部を前記第１傾斜部に対向させて載置できることを特徴とする請求項１から請求項９のいずれか１項に記載の寝具。
【請求項１１】
前記内層の外表面及び前記外層の外表面に、複数の突起を配列したことを特徴とする請求項１０に記載の寝具。
【請求項１２】
前記内層の前記突起の高さを、前記外層の前記突起の高さより大きくしたことを特徴とする請求項１１に記載の寝具。
【発明の詳細な説明】
【技術分野】
【０００１】
本発明は、枕とマットレスとを備えた寝具に関する。
【背景技術】
【０００２】
従来の布団やベッドでは、就寝時の姿勢によっては首や肩などに圧迫感を感じて快眠を得ることができない場合や、身体の可動域が狭まった病人や高齢者にとっては寝返りを打つことすら困難な場合がある。
この問題に対して、形状を工夫することによって、圧迫感を軽減したり、寝返りを打つことを容易にしたりすることを目的とした寝具が提案されている。
例えば、特許文献１には、就寝用枕を載置する枕下部と人体を載置する胴体部とをマットレス上に載置して構成されるクッションであって、枕下部と梯型傾斜胴体部間に溝部が形成されるように配設した健康クッションが記載されている。
また、特許文献２には、脇元より腰元へ三角状の傾斜敷布団を形成し、該傾斜敷布団と枕間に肩腕の入り込む肩腕落溝空間を設けた寝具が記載されている。
【先行技術文献】
【特許文献】
【０００３】
【特許文献１】特開平９−１４９８４３号公報
【特許文献２】特開２０００−２５３９５７号公報
【発明の概要】
【発明が解決しようとする課題】
【０００４】
しかしながら、特許文献１の健康クッションのように、単に両肩の上部から上腕部の肘あたりまでを落とすだけでは、十分に圧迫を回避することができず、また、横臥状態から仰臥状態、又は仰臥状態から横臥状態に移行しにくく、寝返りを阻害するおそれがある。
また、特許文献２のように、肩と腕をほぼ真横に落とす溝を設けたものでは、その溝があることによって窮屈さを感じ、余計に安眠が妨げられるおそれがある。
【０００５】
そこで本発明は、使用者が首や肩などに圧迫感を感じることなく、また、スムーズに寝返りを打つことができる寝具を提供することを目的とする。
【課題を解決するための手段】
【０００６】
請求項１記載の本発明の寝具は、高反発ウレタンフォームからなる枕と、前記高反発ウレタンフォームからなる縦長矩形のマットレスとを備えた寝具であって、前記マットレスは、使用者の背中及び下半身が載置される第１載置部と、前記使用者の肩及び腕が載置される第２載置部とを備え、前記第１載置部を、長手方向の後方寄りに設け、前記第２載置部を、長手方向の前方寄りに設け、前記第１載置部を、前記第２載置部より厚くし、前記第１載置部の前端中央に凸部を形成し、前記凸部の前端を、前記第１載置部の載置面と前記第２載置部の載置面とを接続する第１傾斜部とし、前記凸部の左右端を、前記第１載置部の前記載置面と前記第２載置部の前記載置面とを接続する第２傾斜部とし、前記凸部の両側に位置する前記第１載置部の前記前端を、前記第１載置部の前記載置面と前記第２載置部の前記載置面とを接続する第３傾斜部とし、前記使用者の頭が載置される前記枕を、前記凸部から離して配置できることを特徴とする。
請求項２記載の本発明は、請求項１に記載の寝具において、前記第１傾斜部の傾斜角を、３５°以上５５°以下としたことを特徴とする。
請求項３記載の本発明は、請求項１又は請求項２に記載の寝具において、前記第２傾斜部の傾斜角を、２０°以上４０°以下としたことを特徴とする。
請求項４記載の本発明は、請求項１から請求項３のいずれか１項に記載の寝具において、前記第３傾斜部の傾斜角を、２０°以上４０°以下としたことを特徴とする。
請求項５記載の本発明は、請求項１から請求項４のいずれか１項に記載の寝具において、前記第１傾斜部と、前記第２傾斜部との境目の稜角を面取りしたことを特徴とする。
請求項６記載の本発明は、請求項１から請求項５のいずれか１項に記載の寝具において、前記第１載置部を、上層と下層とからなる２層構造とし、前記下層を前記上層よりも延伸させ、前記第２載置部を、延伸させた前記下層に形成したことを特徴とする。
請求項７記載の本発明は、請求項６に記載の寝具において、前記下層の上表面に複数の突起を配列したことを特徴とする。
請求項８記載の本発明は、請求項１から請求項７のいずれか１項に記載の寝具において、前記マットレスを、縦方向の長さが等しい、前方領域部、中央領域部、及び後方領域部に分割し、前記前方領域部と前記中央領域部との分割位置を、前記第２載置部の前記載置面と前記第３傾斜部との境目としたことを特徴とする。
請求項９記載の本発明は、請求項１から請求項８のいずれか１項に記載の寝具において、第２載置部の前端及び両側端に、第１載置部の高さと同じ高さの壁を設け、壁の内側端を、第２載置部と接続する壁傾斜部としたことを特徴とする。
請求項１０記載の本発明は、請求項１から請求項９のいずれか１項に記載の寝具において、前記枕を、それぞれ矩形の高反発ウレタンフォームからなる内層と外層とで形成し、前記内層及び前記外層は、それぞれ前記高反発ウレタンフォームを二つ折りに折り畳み、前記高反発ウレタンフォームの一端側内面と他端側内面とを接着することで折り返し側に湾曲部を形成し、前記枕を、前記外層の前記湾曲部を前記第１傾斜部に対向させて配置することを特徴とする。
請求項１１記載の本発明は、請求項１０に記載の寝具において、前記内層の外表面及び前記外層の外表面に、複数の突起を配列したことを特徴とする。
請求項１２記載の本発明は、請求項１１に記載の寝具において、前記内層の前記突起の高さを、前記外層の前記突起の高さより大きくしたことを特徴とする。
【発明の効果】
【０００７】
本発明によれば、使用者が首や肩などに圧迫感を感じることなく、また、スムーズに寝返りを打つことができる寝具を提供することができる。
【図面の簡単な説明】
【０００８】
【図１】本発明の一実施形態による寝具を示す斜視図
【図２】同マットレスに使用者が横たわった状態を示す図
【図３】同マットレスを示す斜視図
【図４】同マットレスを三分割した状態を示す図
【図５】同マットレスを三分割した他の状態を示す図
【図６】同枕を示す斜視図
【発明を実施するための形態】
【０００９】
本発明の第１の実施の形態による寝具は、マットレスは、使用者の背中及び下半身が載置される第１載置部と、使用者の肩及び腕が載置される第２載置部とを備え、第１載置部を、長手方向の後方寄りに設け、第２載置部を、長手方向の前方寄りに設け、第１載置部を、第２載置部より厚くし、第１載置部の前端中央に凸部を形成し、凸部の前端を、第１載置部の載置面と第２載置部の載置面とを接続する第１傾斜部とし、凸部の左右端を、第１載置部の載置面と第２載置部の載置面とを接続する第２傾斜部とし、凸部の両側に位置する第１載置部の前端を、第１載置部の載置面と第２載置部の載置面とを接続する第３傾斜部とし、使用者の頭が載置される枕を、凸部から離して配置できるものである。本実施の形態によれば、横たわった使用者の肩及び腕の位置が、頭、背中及び下半身よりも低くなるので、寝返りをしやすい。また、仰臥姿勢や横臥姿勢など、就寝中に姿勢が変わっても圧迫感等による寝苦しさを低減することができる。
本発明の第２の実施の形態は、第１の実施の形態による寝具において、第１傾斜部の傾斜角を、３５°以上５５°以下としたものである。本実施の形態によれば、使用者は、直角に肩を落とした場合のように違和感を覚えることなく、肩の位置が下がっていることを実感することができる。  
本発明の第３の実施の形態は、第１又は第２の実施の形態による寝具において、第２傾斜部の傾斜角を、２０°以上４０°以下としたものである。本実施の形態によれば、使用者の肩や背中が、寝返りなどで第１載置部から第２載置部又は第２載置部から第１載置部に移動する際の違和感を低減することができる。
本発明の第４の実施の形態は、第１から第３のいずれか１つの実施の形態による寝具において、第３傾斜部の傾斜角を、２０°以上４０°以下としたものである。本実施の形態によれば、使用者は、第１載置部の前端と第２載置部を接続する傾斜部に載置された手首などの前腕の角度を、違和感のない自然なものとすることができる。
本発明の第５の実施の形態は、第１から第４のいずれか１つの実施の形態による寝具において、第１傾斜部と、第２傾斜部との境目の稜角を面取りしたものである。本実施の形態によれば、使用者の肩や背中が、寝返りなどで第１載置部から第２載置部、又は第２載置部から第１載置部に移動する際の違和感を低減することができる。
本発明の第６の実施の形態は、第１から第５のいずれか１つの実施の形態による寝具において、第１載置部を、上層と下層とからなる２層構造とし、下層を上層よりも延伸させ、第２載置部を、延伸させた下層に形成したものである。本実施の形態によれば、ベースとなる下層を第１載置部と第２載置部とで共通にすることができる。
本発明の第７の実施の形態は、第６の実施の形態による寝具において、下層の上表面に複数の突起を配列したものである。本実施の形態によれば、第１載置部の上層と下層の間に通気口を形成することができる。また、下層の上表面の突起が上層で覆われない第２載置部は、突起によって寝返りがしやすくなるとともに、使用者の背中と下層との間にできる隙間によって通気性が向上する。
本発明の第８の実施の形態は、第１から第７のいずれか１つの実施の形態による寝具において、マットレスを、縦方向の長さが等しい、前方領域部、中央領域部、及び後方領域部に分割し、前方領域部と中央領域部との分割位置を、第２載置部の載置面と第３傾斜部との境目としたものである。本実施の形態によれば、凸部の大部分を前方領域部に形成することができるので、収納や持ち運びの際などにマットレスを三つ折り又は三枚重ねにした場合でも、凸部の形状が保持されやすい。
本発明の第９の実施の形態は、第１から第８のいずれか１つの実施の形態による寝具において、第２載置部の前端及び両側端に、第１載置部の高さと同じ高さの壁を設け、壁の内側端を、第２載置部と接続する壁傾斜部としたものである。本実施の形態によれば、枕がマットレスからはみ出すのを防止することができる。また、三つに分割したマットレスを三つ折り又は三枚重ねにした場合に、凸部の形状がさらに保持されやすい。
本発明の第１０の実施の形態は、第１から第９のいずれか１つの実施の形態による寝具において、枕を、それぞれ矩形の高反発ウレタンフォームからなる内層と外層とで形成し、内層及び外層は、それぞれ高反発ウレタンフォームを二つ折りに折り畳み、高反発ウレタンフォームの一端側内面と他端側内面とを接着することで折り返し側に湾曲部を形成し、枕を、外層の湾曲部を第１傾斜部に対向させて載置できるものである。本実施の形態によれば、湾曲部の枕の高さを、反折り返し側よりも高くすることができる。従って、使用者が枕に頭及び首を載置した場合に、頭及び首が沈み込みすぎるのを防ぎ、頭及び首が枕と接する曲面カーブを自然なものとすることができ、快適性が向上する。
本発明の第１１の実施の形態は、第１０の実施の形態による寝具において、内層の外表面及び外層の外表面に、複数の突起を配列したものである。本実施の形態によれば、内層と外層の間に通気口を形成することができる。また、使用者の頭と外層との間にできる隙間によって通気性が向上する。
本発明の第１２の実施の形態は、第１１の実施の形態による寝具において、内層の突起の高さを、外層の突起の高さより大きくしたものである。本実施の形態によれば、外層の突起は内層の突起よりもつぶれやすくなるので、頭及び首を載置した際の枕の反発力を大きく減少させることなく、頭及び首に受ける感触をソフトなものにすることができる。
【実施例】
【００１０】
以下に、本発明の実施形態による寝具について説明する。
【００１１】
図１は本発明の一実施形態による寝具を示す斜視図、図２は同マットレスに使用者が横たわった状態を示す図である。
本実施形態による寝具は、高反発ウレタンフォームからなる枕１０と、高反発ウレタンフォームからなる縦長矩形のマットレス２０とを備える。
枕１０及びマットレス２０に高反発ウレタンフォームを用いることによって使用者は寝具から適度な反発力を受けることができ、快適性が向上する。
なお、枕１０及びマットレス２０のサイズは、使用者の身長や体型等によって任意に変更してよい。
【００１２】
図１に示すように、マットレス２０は、使用者の背中及び下半身が載置される第１載置部３０と、使用者の肩及び腕が載置される第２載置部４０とを備え、第１載置部３０を長手方向の後方寄りに設け、第２載置部４０を長手方向の前方寄りに設け、第１載置部３０を第２載置部４０より厚くしている。
また、第１載置部３０の前端３１中央には凸部３２を形成し、第１載置部３０と第２載置部４０とを、水平面に対して所定の傾斜角を有する傾斜部５０を介して連接している。なお、第１載置部３０の載置面と第２載置部４０の載置面は水平面となっている。
傾斜部５０として、第１傾斜部５０ａと、第２傾斜部５０ｂと、第３傾斜部５０ｃとを有している。
凸部３２の前端３２ａを、第１載置部３０の載置面と第２載置部４０の載置面とを接続する第１傾斜部５０ａとしている。また、凸部３２の左右端３２ｂを、第１載置部３０の載置面と第２載置部４０の載置面とを接続する第２傾斜部５０ｂとしている。また、凸部３２の両側に位置する第１載置部３０の前端３１を、第１載置部３０の載置面と第２載置部４０の載置面とを接続する第３傾斜部５０ｃとしている。
そして、使用者の頭が載置される枕１０を、第２載置部４０に、使用者の肩を十分に落とすだけの距離を凸部３２から離して配置できる。このように、枕１０は、使用者の体格等に合わせて任意に配置を変更することができる。
【００１３】
図２に示すように、横たわった使用者の肩及び腕は第２載置部４０に位置し、後頭部は枕１０の後頭部載置部１０ａに、首は枕１０の首載置部１０ｂに位置する。このように、肩及び腕は、枕１０に位置する頭並びに第１載置部３０に位置する背中及び下半身よりも低くなるので、病気や老齢などで力が弱ったり可動域が狭まったりした使用者であっても寝返りがしやすい。また、仰臥姿勢や横臥姿勢など、就寝中に寝返りにより姿勢が変わっても圧迫感等による寝苦しさが低減される。
【００１４】
図３は本発明の一実施形態によるマットレスを示す斜視図である。また、図４は同マットレスを三分割した状態を示す図であり、図４（ａ）は使用者の主に足が載置される後方領域部の平面図及び側面図、図４（ｂ）は使用者の主に背中が載置される中央領域部の平面図及び側面図、図４（ｃ）は使用者の主に肩及び頭が載置される前方領域部の平面図及び側面図である。
本実施例においては、マットレス２０は、横幅Ｌ１と縦幅Ｌ２（縦方向の長さＬ２ａ＋Ｌ２ｂ＋Ｌ２ｃ）との比率を１：１．１〜１：２の縦長矩形としている。
本実施例においては、第１傾斜部５０ａの傾斜角を、３５°以上５５°以下としている。使用者は、第１傾斜部５０ａの傾斜角が約９０°（直角）の場合のように肩が急に落ちる場合は違和感を覚えることが多く、また、逆に第１傾斜部５０ａの傾斜角が約１０°の場合のように勾配が緩すぎると肩の位置が下がっていることを実感し難い。従って、第１傾斜部５０ａの傾斜角を３５°以上５５°以下とすることで、直角に肩を落とした場合のように違和感を覚えることなく、肩の位置が下がっていることを実感することができる。なお、上記の効果をより実感するためには、第１傾斜部５０ａの傾斜角が４５°±３°であることが好ましい。
【００１５】
また、本実施例においては、第２傾斜部５０ｂの傾斜角を、２０°以上４０°以下としている。就寝中、使用者の姿勢は、寝返りを打つことによって仰臥姿勢から横臥姿勢へと、また横臥姿勢から仰臥姿勢へなどと変化するが、第２傾斜部５０ｂの傾斜角を２０°以上４０°以下と勾配を少し緩くすることで、使用者の肩や背中が第１載置部３０から第２載置部４０、又は第２載置部４０から第１載置部３０に移動する際の違和感を低減することができる。なお、上記の効果をより実感するためには、第２傾斜部５０ｂの傾斜角が３０°±３°であることが好ましい。
【００１６】
また、本実施例においては、第３傾斜部５０ｃの傾斜角を、２０°以上４０°以下としている。使用者は、第３傾斜部５０ｃの傾斜角が約９０°（直角）の場合のように急に手首などの前腕が持ち上がる場合は違和感を覚えることが多い。従って、第３傾斜部５０ｃの傾斜角を２０°以上４０°以下とすることで、第３傾斜部５０ｃに載置する前腕の角度を違和感のない自然なものとすることができる。なお、上記の効果をより実感するためには、第３傾斜部５０ｃの傾斜角が３０°±３°であることが好ましい。
【００１７】
なお、第１傾斜部５０ａの傾斜角は、第２傾斜部５０ｂ及び第３傾斜部５０ｃよりも１５°程度大きいことが好ましい。このように、第１傾斜部５０ａの傾斜角と第２傾斜部５０ｂ及び第３傾斜部５０ｃの傾斜角とを異ならせることによって、使用者は、肩が落ちていることをより一層認識できるとともに、寝返りを打つ際の第１載置部３０と第２載置部４０間の移動にともなう違和感を一層低減することができる。
【００１８】
また、本実施例においては、第１傾斜部５０ａと、第２傾斜部５０ｂとの境目の稜角６０を面取りしている。このように稜角６０を面取りすることで、寝返りにより使用者の肩や背中が第１載置部３０から第２載置部４０、又は第２載置部４０から第１載置部３０に移動する際の違和感を、より一層低減することができる。
【００１９】
また、本実施例においては、マットレス２０の第１載置部３０を、上層２０ａと下層２０ｂとからなる２層構造としており、下層２０ｂを上層２０ａよりも延伸させ、第２載置部４０を、延伸させた下層２０ｂに形成している。このような構成とすることで、ベースとなる下層２０ｂを第１載置部３０と第２載置部４０とで共通にすることができる。また、第１載置部３０を２層構造とすることで使用者の快適性を高めることができる。
また、下層２０ｂの上表面には複数の突起２１を配列している。この突起２１によって、第１載置部３０には、上層２０ａと下層２０ｂの間に通気口２２が形成される。従って、マットレス２０の通気性が向上し、蒸れを少なくすることができる。
また、第２載置部４０においては、突起２１は上層２０ａで覆われずむき出しとなる。従って、使用者とマットレス２０との間には突起２１によって隙間ができ、熱を逃がし易くなる。また、突起２１によって使用者の背中などが刺激され寝返りが促される。
【００２０】
また、本実施例においては、マットレス２０を、縦方向の長さＬ２ａ、Ｌ２ｂ、Ｌ２ｃが等しい三つの領域部（後方領域部Ｘ、中央領域部Ｙ、前方領域部Ｚ）に分割して、第１載置部３０を後方領域部Ｘ及び中央領域部Ｙに設け、凸部３２と第２載置部４０を前方領域部Ｚに設けている。三つの領域部Ｘ、Ｙ、Ｚは完全に分離してもよいが、三つの領域部Ｘ、Ｙ、Ｚを薄布などで接続して三つ折り構造としてもよい。このように分割構造とすることで、凸部３２の大部分を前方領域部Ｚに形成することができるので、収納や持ち運びの際などにマットレス２０を三つ折り又は三枚重ねにした場合でも、凸部３２の形状が保持されやすい。
【００２１】
なお、本実施例においては、凸部３２は、前端３２ａの横幅Ｌ３を、後端３２ｃの横幅Ｌ４よりも短くしている。このように後端３２ｃから前端３２ａにかけて徐々に横幅を狭くすることにより、使用者の体型に沿う形状とすることができる。また、横幅Ｌ４はマットレス２０の横幅Ｌ１の０．４〜０．５倍、縦幅Ｌ５は前方領域部Ｚの縦幅Ｌ２ｃの０．２〜０．３倍としている。この構成により、使用者の肩及び腕を載置するスペースを前方領域部Ｚに確保することができる。
また、上層２０ａの厚さｔ１と下層２０ｂの厚さｔ２は同じであり、下層２０ｂの突起２１の高さＨ１は、厚さｔ２の約０．３〜０．４倍としている。この構成により、マットレス２０に十分な通気性を持たせることができる。
【００２２】
図５は図４を用いて説明した三分割構造マットレスの他の形態を示す図であり、図５（ａ）は使用者の主に足が載置される後方領域部の平面図及び側面図、図５（ｂ）は使用者の主に背中が載置される中央領域部の平面図及び側面図、図５（ｃ）は使用者の主に肩及び頭が載置される前方領域部の平面図及び側面図である。なお、上記実施例と同一機能部材には同一符号を付して説明を省略する。また、図５（ｃ）においては、両側端に設けた壁は省略している。
本実施例においては、第２載置部４０の前端及び両側端にわたって、第１載置部３０の高さと同じ高さの壁４１を設け、壁４１の内側端を、第２載置部４０と接続する壁傾斜部４１ａとしている。また、傾斜部５０は全て第１前方領域部Ｚに設けているので、凸部３２は全て前方領域部Ｚに形成することができる。
このような構成とすることで、壁４１ａによって、枕１０が第２載置部４０からはみ出すのを防止することができる。また、三つに分割したマットレス２０を三つ折り又は三枚重ねにした場合に、凸部３２の形状がさらに保持されやすい。
なお、使用者が寝返りによって壁４１に接触した際の違和感を低減させることを目的として、壁傾斜部４１ａの傾斜角は、本実施例においては２０°以上４０°以下としている。なお、より確実に違和感を低減するためには、壁傾斜部４１ａの傾斜角は３０°±３°であることが好ましい。
【００２３】
図６（ａ）は本発明の一実施形態による枕を示す斜視図であり、図６（ｂ）は内層を展開した状態を示す図、図６（ｃ）は外層を展開した状態を示す図である。
本実施例においては、枕１０を、矩形の高反発ウレタンフォーム１１Ａからなる内層１１と、矩形の高反発ウレタンフォーム１２Ａからなる外層１２とで形成し、内層１１及び外層１２は、それぞれ高反発ウレタンフォーム１１Ａ、１２Ａを二つ折りに折り畳み、高反発ウレタンフォーム１１Ａの一端側内面１１ａと他端側内面１１ｂとを接着し、高反発ウレタンフォーム１２Ａの一端側内面１２ａと他端側内面１２ｂとを接着することで折り返し側に湾曲部１１ｃ、１２ｃを形成し、枕１０を、外層１２の湾曲部１２ｃを傾斜部５０に対向させて配置できる。
なお、本実施例においては、高反発ウレタンフォーム１２Ａの横幅Ｌ６と高反発ウレタンフォーム１１Ａの横幅は同じとし、高反発ウレタンフォーム１２Ａの縦幅Ｌ８は高反発ウレタンフォーム１１Ａの縦幅Ｌ７の２〜２．５倍としており、高反発ウレタンフォーム１１Ａの厚さｔ３及び高反発ウレタンフォーム１２Ａの厚さｔ４は同じとしている。
また、外層１２の反折り返し側の端部の一端側内面１２ａと他端側内面１２ｂとは、縦方向に一定の幅をもって接着しているが、図６（ａ）のように内層１１の端部近傍まで接着することが好ましい。
また、第２載置部４０に配置した枕１０の高さは、頭及び首を載置した状態において、第１載置部３０の高さ（上層２０ａ＋下層２０ｂ）と概ね同じとなることが好ましい。
【００２４】
上記構成により枕１０は、湾曲部１２ｃの高さを反折り返し側よりも高くすることができ、最も膨らみが大きい中央部分に、使用者の後頭部が載置する後頭部載置部１０ａを、反折り返し側よりは膨らみが大きく後頭部載置部１０ａよりは膨らみが小さい湾曲部１２ｃに、使用者の首が載置する首載置部１０ｂを設けることができる。
後頭部載置部１０ａに載置した後頭部、及び首載置部１０ｂに載置した首は、外層１２及び内層１１により支持されるので、沈み込みすぎることがない。よって、頭及び首が枕１０と接する曲面カーブを自然なものとすることができ、快適性が向上する。
また、頭及び首が載置された状態において、湾曲部１２ｃの下方と第２載置部４０との間には隙間ができるため、使用者はその隙間に肩を潜り込ませることができる。従って、使用者の肩は枕１０に載らずにマットレス２０と接することとなり、さらに快適性が向上する。
なお、図６（ａ）に示すように、内層１１の湾曲部１１ｃを外層１２の湾曲部１２ｃの位置となるように、内層１１を外層１２の内部に配置する、つまり内層１１の向きと外層１２の向きを同じとすることが、頭が載置されたときの沈み込みを防ぐ上でより好ましい。
【００２５】
また、本実施例においては、上表面に複数の突起１３を配列した高反発ウレタンフォーム１１Ａを突起１３が外側となるようにして二つ折りに折り畳み、上表面に複数の突起１４を配列した高反発ウレタンフォーム１２Ａを突起１４が外側となるようして二つ折りに折り畳んでいる。従って、枕１０の内層１１の外表面に複数の突起１３が配列され、外層１２の外表面に複数の突起１４が配列される。
突起１３によって内層１１と外層１２の間に通気口１５が形成される。従って、枕１０の通気性が向上し、蒸れを少なくすることができる。
また、突起１４によって、使用者の頭及び首と外層１２との間に隙間ができ、放熱しやすくなる。
【００２６】
また、枕１０の内層１１の突起１３の高さを、枕１０の外層１２の突起１４の高さより大きくすれば、突起１４は突起１３よりもつぶれやすくなるので、頭及び首を載置した際の枕１０の反発力をあまり減少させることなく、頭及び首に受ける感触をソフトなものにすることができる。本実施例においては、突起１３の高さH２は、突起１４の高さＨ３の２〜２．５倍としている。なお、複数の突起１３同士の間隔を、突起１４同士の間隔よりも小さくすることによって、上記の効果を高めることができる。
また、突起１３及び突起１４は、図６に示すような波型ではなく、図１に示すような小さな凹凸を繰り返し配列するものであってもよい。
【産業上の利用可能性】
【００２７】
本発明は、寝具として適している。なお、ベッドの上に載置して使用してもよいが、床や畳の上などに直接敷いて使用することもできる。
【符号の説明】
【００２８】
１０  枕
１０ａ  後頭部載置部
１０ｂ  首載置部
１１  内層
１２  外層
２０  マットレス
２０ａ  上層
２０ｂ  下層
３０  第１載置部
３１  前端
３２  凸部
４０  第２載置部
５０  傾斜部
６０  稜角
【図１】
2016063997.tif 000003
【図２】
2016063997.tif 000004
【図３】
2016063997.tif 000005
【図４】
2016063997.tif 000006
【図５】
2016063997.tif 000007
【図６】
2016063997.tif 000008